(57)【要約】【課題】        捕獲した塵埃に含まれるアレルゲンを容易に不活性化することができる掃除機を提供することにある。【解決手段】    塵埃および空気を吸い込む吸込口が形成された吸込ノズル１と、前記吸込口から吸い込まれた塵埃をろ過するろ過手段と、前記ろ過手段を通過した空気を排気する排気口２１とを有する掃除機２５であって、前記ろ過手段として、目の大きさの異なるフィルタを３層有し、目の最も細かいフィルタもしくはそれと接触するフィルタに、尿素と、アレルゲンを不活性化する酵素とを備えた集塵フィルタ６を用い、吸込ノズル１から吸い込まれた塵埃に含まれるアレルゲンを集塵フィルタ６の酵素および尿素に接触させて不活性化するようにした。【選択図】        図１
2006218064.tif 000002
【特許請求の範囲】
【請求項１】
目の大きさの異なるフィルタを複数有し、目の最も細かいフィルタもしくはそれと接触するフィルタは、尿素と、アレルゲンを不活性化する酵素とを備えた
ことを特徴とする集塵フィルタ。
【請求項２】
尿素と、アレルゲンを不活性化する酵素とを備え、掃除機本体内に吸い込んだ塵埃をろ過するフィルタの後流側に取り付けるようにした
ことを特徴とする集塵フィルタ。
【請求項３】
塵埃および空気を吸い込む吸込口と、前記吸込口から吸い込まれた塵埃をろ過するろ過手段と、前記ろ過手段を通過した空気を排気する排気口とを有する掃除機であって、
前記ろ過手段として、請求項１または請求項２に記載の集塵フィルタを用い、
前記集塵フィルタにて前記塵埃に含まれるアレルゲンを不活性化する
ことを特徴とする掃除機。
【請求項４】
請求項３に記載された掃除機であって、
前記集塵フィルタに液体を供給する液体供給手段を設ける
ことを特徴とする掃除機。
【請求項５】
請求項４に記載された掃除機であって、
前記液体供給手段における液体に抗菌剤を添加する
ことを特徴とする掃除機。
【請求項６】
請求項３に記載された掃除機であって、
前記吸気口に抗菌液を散布する抗菌液散布手段を配置する
ことを特徴とする掃除機。
【請求項７】
請求項３乃至請求項６の何れかに記載された掃除機であって、
前記排気口に配置される排気フィルタは、尿素と、アレルゲンを不活性化する酵素とを備える
ことを特徴とする掃除機。
【発明の詳細な説明】
【技術分野】
【０００１】
本発明は、集塵フィルタおよびそれを用いた掃除機に関する。
【背景技術】
【０００２】
従来の掃除機には、掃除機本体内に吸い込んで集塵したゴミ・ほこりなどの塵埃を捕獲する（ろ過する）紙パックフィルタを内蔵するものがある。しかし、この紙パックフィルタでろ過性されず、微粒子の塵埃が紙パックフィルタを通過して、再飛散することは避けられない。
【０００３】
再飛散した塵埃の中には、アレルギーの原因となるアレルゲン、例えばダニ、動物の死骸、ペットの上皮やふけ、花粉などが含まれている。このような塵埃をアレルギー体質の人が鼻や口などの呼吸器系に吸い込むことにより、アレルギーが発症してしまう一因となる。また、アレルギー体質ではない人であっても、このようなアレルゲンを呼吸器系に吸い込み続けることにより、アレルギーを発症してしまう虞がある。
【０００４】
上述したアレルゲンを簡便な方法で不活性化させる技術として、特許文献１に記載される電気掃除機用蒸気噴射装置が知られている。この装置は、電気掃除機の吸込みノズルに装着されており、掃除作業を行いながら高温蒸気を床面に噴射して、床面に残存するアレルゲンを不活性化するものである。
【０００５】
【特許文献１】特開平７−２７５１６６号公報
【発明の開示】
【発明が解決しようとする課題】
【０００６】
しかしながら、特許文献１に記載の電気掃除機用蒸気噴射装置では、アレルゲンを不活性化することができるものの、床面に６０℃の蒸気を噴射するので、床面が濡れてしまい、床面の水分を拭き取る必要が生じ、掃除の手間が余計にかかってしまうという問題があった。また、床面が高温に晒されるので、床を傷めてしまう虞があった。
【０００７】
そこで、本発明は、前述した問題に鑑み提案されたもので、捕獲した塵埃に含まれるアレルゲンを容易に不活性化することができる集塵フィルタおよびそれを用いた掃除機を提供することを目的とする。
【課題を解決するための手段】
【０００８】
上述した課題を解決する第１の発明に係る集塵フィルタは、目の大きさの異なるフィルタを複数有し、目の最も細かいフィルタもしくはそれと接触するフィルタが、尿素と、アレルゲンを不活性化する酵素とを備えたことを特徴とする。前記酵素としては、プロテイナーゼやぺプチダーゼが挙げられる。
【０００９】
上述した課題を解決する第２の発明に係る集塵フィルタは、尿素と、アレルゲンを不活性化する酵素とを備え、掃除機本体内に吸い込んだ塵埃をろ過するフィルタの後流側に取り付けるようにしたことを特徴とする。前記酵素としては、プロテイナーゼやぺプチダーゼが挙げられる。
【００１０】
上述した課題を解決する第３の発明に係る掃除機は、塵埃および空気を吸い込む吸込口と、前記吸込口から吸い込まれた塵埃をろ過するろ過手段と、前記ろ過手段を通過した空気を排気する排気口とを有する掃除機であって、前記ろ過手段として、第１の発明または第２の発明に記載の集塵フィルタを用い、前記集塵フィルタにて前記塵埃に含まれるアレルゲンを不活性化することを特徴とする。
【００１１】
上述した課題を解決する第４の発明に係る掃除機は、第３の発明に記載された掃除機であって、前記集塵フィルタに液体を供給する液体供給手段を設けることを特徴とする。
【００１２】
上述した課題を解決する第５の発明に係る掃除機は、第４の発明に記載された掃除機であって、前記液体供給手段における液体に抗菌剤を添加することを特徴とする。
【００１３】
上述した課題を解決する第６の発明に係る掃除機は、第３の発明に記載された掃除機であって、前記吸気口に抗菌液を散布する抗菌液散布手段を配置することを特徴とする。
【００１４】
上述した課題を解決する第７の発明に係る掃除機は、第３の発明乃至第６の発明の何れかに記載された掃除機であって、前記排気口に配置される排気フィルタが、尿素と、アレルゲンを不活性化する酵素とを備えることを特徴とする。
【発明の効果】
【００１５】
第１の発明に係る集塵フィルタによれば、掃除機における塵埃をろ過するフィルタとして用い、目の最も細かいフィルタにアレルゲンが捕獲されると、捕獲されたアレルゲンが、前記フィルタの酵素および尿素と接触し、前記尿素により前記アレルゲンを構成するたんぱく質の高次構造が崩され、前記酵素によりたんぱく質の一次結合が切断されて、アレルゲンが不活性化されるので、不活性化されたアレルゲンが集塵フィルタを通って再飛散して、このアレルゲンを人が吸い込んでしまっても、アレルギーを発症する原因にならないようになる。
【００１６】
第２の発明に係る集塵フィルタによれば、フィルタの後流側に取り付けるようにしたので、取り扱い性が向上する。また、掃除機における塵埃をろ過するフィルタとして用い、集塵フィルタにアレルゲンが捕獲されると、捕獲されたアレルゲンが、前記集塵フィルタの酵素および尿素に接触し、前記尿素により前記アレルゲンを構成するたんぱく質の高次構造が崩され、前記酵素によりたんぱく質の一次結合が切断されて、アレルゲンが不活性化されるので、不活性化されたアレルゲンが集塵フィルタを通って再飛散して、このアレルゲンを人が吸い込んでしまっても、アレルギーを発症する原因にならないようになる。
【００１７】
第３の発明に係る掃除機によれば、第１の発明および第２の発明に記載された集塵フィルタと同様な作用効果を奏する他、掃除機に吸い込まれた塵埃をろ過する際に、前記塵埃に含まれるアレルゲンが前記集塵フィルタの酵素および尿素に接触し、前記尿素により前記アレルゲンを構成するたんぱく質の高次構造が崩され、前記酵素によりたんぱく質の一次結合が切断されて、アレルゲンが不活性化され、前記アレルゲンが前記集塵フィルタから掃除機本体の外に排気されて、排気されたアレルゲンを人が吸い込んでしまっても、アレルゲンが不活性化されているので、アレルギーを発症する原因にならないようになる。
【００１８】
第４の発明に係る掃除機によれば、第３の発明に記載された掃除機と同様な作用効果を奏する他、酵素がたんぱく質の一次結合を切断する反応は促進され、短時間でより多くのアレルゲンを不活性化することができるようになる。
【００１９】
第５の発明に係る掃除機によれば、第４の発明に記載された掃除機と同様な作用効果を奏する他、集塵フィルタに供給される液体に抗菌剤が添加されることとなり、この抗菌剤の作用により、集塵フィルタにおける菌、微生物などの繁殖を抑制することができる。
【００２０】
第６の発明に係る掃除機によれば、第３の発明に記載された掃除機と同様な作用効果を奏する他、吸気口に抗菌液が散布され、散布された抗菌液が吸気口から掃除機本体内に吸い込まれることになり、吸気口から掃除機本体内までの間における細菌、微生物などの繁殖が抑制される。
【００２１】
第７の発明に係る掃除機によれば、第３の発明乃至第６の発明に記載された掃除機と同様な作用効果を奏する他、集塵フィルタにてアレルゲンが不活性化されずに通過しても、前記アレルゲンが排気フィルタの酵素および尿素に接触し、前記尿素により前記アレルゲンを構成するたんぱく質の高次構造が崩され、前記酵素によりたんぱく質の一次結合が切断されて、アレルゲンが不活性化されるので、掃除機本体から排出されるアレルゲンの数を減少させることができる。
【発明を実施するための最良の形態】
【００２２】
以下に、本発明に係る掃除機を実施するための最良の形態を実施例に基づき具体的に説明する。
【実施例１】
【００２３】
図１は、本発明の第１の実施例に係る掃除機の概略図であり、図２は、この掃除機に用いられる集塵フィルタの一実施形態の概略図であり、図３は、この集塵フィルタの模式図である。図４は、本発明の第１の実施例に係る掃除機に取り付けられる液体供給装置の蓋部材近傍の断面図である。
【００２４】
本発明の第１の実施例に係る掃除機２５は、図１に示すように、塵埃および空気を吸い込む吸込口（図示せず）を有する吸込ノズル１と、吸込ノズル１に連結する延長パイプ２と、延長パイプ２に連結する吸気ホース３と、吸気ホース３に連結する吸気パイプ４と、吸気パイプ４が取り付けられる掃除機本体５とを有する。掃除機本体５には前端側および後端側にそれぞれ車輪２３ａ，２３ｂが取り付けられており、走行可能になっている。吸気パイプ４の後端には、集塵フィルタ６が取り付けられる。集塵フィルタ６にて、掃除機本体５内に吸い込まれた塵埃をろ過する。掃除機本体５には、排気口２１が形成される。集塵フィルタ６と排気口２１との間には、図示しない集塵ファンと、集塵ファンを回転駆動する電動モータとが配置される。
【００２５】
集塵フィルタ６は不織布からなり、図２に示すように、目の大きさの異なる３層のフィルタ７，８，９を有する。最内側に配置される１層目のフィルタ７は、目が最も粗くなっている。最外側に配置される３層目のフィルタ９は、目が最も細かくなっている。１層目のフィルタ７と、３層目のフィルタ９との間に配置される２層目のフィルタ８は、１層目のフィルタ７よりも目が細かく、３層目のフィルタ９よりも目が粗くなっている。
【００２６】
３層目のフィルタ９は、アレルゲンを構成するたんぱく質の高次構造を崩す尿素と、前記高次構造が崩れたたんぱく質の一次結合を切断してアレルゲンを不活性化する酵素、例えばペプチド結合を加水分解するプロテアーゼとを備えている。プロテアーゼは、プロテイナーゼとぺプチダーゼとに大別される。プロテイナーゼはタンパク質分子のペプチド結合を加水分解する酵素であり、高分子たんぱく質に作用すると急速な低分子化が起こり、たんぱく質をペプトン化するものである。ぺプチダーゼはペプチド鎖のアミノ末端あるいはカルボキシ末端のペプチド結合を加水分解する酵素であり、ペプチド鎖の末端から順次アミノ酸を遊離させるものである。なお、上記酵素は、空気中の湿気により活性になっている。
【００２７】
図３に示すように、３層目のフィルタの不織布の繊維１０に酵素１１と尿素１２とが付着（添着）している。このような３層目のフィルタ９は、例えば、所定の濃度の酵素と尿素とからなる溶液に直接浸すディッピング法を実施した後、余分な水分を絞り、さらに乾燥する方法や、前記溶液を霧状で吹き付けるスプレー法を実施した後、乾燥する方法や、版材を介して前記溶液を転写するグラビア印刷法を実施した後、乾燥する方法などにより製造される。上述したように３層目のフィルタ９にのみ酵素１１と尿素１２とを付着させたので、酵素１１及び尿素１２の使用量を抑制することができる。３層目のフィルタ９の目が最も細かいので、アレルゲンが３層目のフィルタ９の酵素１１および尿素１２に接触する可能性が高まり、アレルゲンが３層目のフィルタ９の尿素１２に接触すると、前記アレルゲンを構成するたんぱく質の高次構造が崩されて、前記のたんぱく質が３層目のフィルタ９の酵素１１に接触すると、その一次結合が切断されるので、アレルゲンを構成するたんぱく質を分解して不活性化することができる。
【００２８】
集塵フィルタ６に液体、例えば水を供給する液体供給手段である液体供給装置１３は、図１に示すように、掃除機本体５の上部に取り付けられる。液体供給装置１３は、水１４を溜めるタンク１５と、タンク１５に連結される連通管１６と、連通管１６の先端に連結されると共に、集塵フィルタ６に接触して配置される透湿膜からなるチューブ１７とを有する。タンク１５に溜まった水１４は、連通管１６、チューブ１７を通って、集塵フィルタ６に供給される。このように集塵フィルタ６に水１４を供給することにより、酵素１１がたんぱく質の結合を切断する反応は促進され、短時間でより多くのアレルゲンを不活性化することができるようになる。
【００２９】
タンク１５の上部には、水１４をタンク１５に注入する液体注入構造１８が形成されている。液体注入構造１８は、図４に示すように、水１４がタンク１５内に注入される注入口部１９と、注入口部１９を閉止する蓋部材２０とからなる。蓋部材２０は、垂直断面にて、その中央に、上方に向かうに従い外側に広がる開口部２０ａと、開口部２０ａから下端２０ｂにかけて連通し、下方に向かうに従い外側へ広がる連通部２０ｃと、連通部２０ｃの外側に形成され、注入口部１９を閉止したときに注入口部１９の連通穴１９ａに当接して密閉する下側凸部２０ｄと、蓋部材２０を注入口部１９に閉止するときに、注入口部１８に形成された外側凸部１９ｂに螺合する螺合部２０ｅとを有する。
【００３０】
注入口部１９は、蓋部材２０の開口部２０ａと連通部２０ｃとが接する部位まで延び、同部位にて蓋部材２０の開口部２０ａと連通部２０ｃとの連通を遮断する中央凸部１９ｃと、中央凸部１９ｃと外側凸部１９ｂとの間に形成され、タンク１５の内外を連通する連通穴１９ａとを有する。
【００３１】
蓋部材２０を回動して開放状態にすることにより、開口部２０ａに注がれた水は、蓋部材２０の連通部２０ｃと注入口部１９の中央凸部１９ｃとの間を流れ、連通穴１９ａを通ってタンク１５内に注入される。蓋部材２０を回動して閉止状態にすることにより、蓋部材２０の下側凸部２０ｄが連通穴１９ａに当接して、連通穴１９ａが塞がれると共に、蓋部材２０の開口部２０ａと連通部２０ｃとの接する部位が注入口部１９の中央凸部１９ｃに接するので、タンク１５内の水１４が連通部２０ｃを通って、タンク１５の外側に漏れ出さないようになる。液体注入構造１８を上述したような構造にすることで、容易に液体をタンク１５内に注入することができると共に、タンク１５内の液体を容易に漏れ出さないようにすることができる。
【００３２】
掃除機２５では、電動モータが駆動し、集塵ファンが回動することで、塵埃が吸込ノズル１、延長パイプ２、吸気ホース３、吸気パイプ４を通って掃除機本体５内に吸い込まれ、集塵フィルタ６にて塵埃がろ過された後、排気口２１を通って掃除機２５の外に排気される。
【００３３】
したがって、本発明の第１の実施例に係る掃除機２５によれば、塵埃にアレルゲンが含まれていても、塵埃を吸い込んで集塵フィルタ６にてろ過することにより、アレルゲンが集塵フィルタ６の３層目のフィルタ９の酵素１１および尿素１２に接触し、アレルゲンを構成するたんぱく質を分解して、アレルゲンを不活性化するので、前記アレルゲンが集塵フィルタ６から掃除機本体５の外へ排気され、排気されたアレルゲンを人が吸い込んでしまっても、アレルゲンが不活性化されているので、アレルギーを発症する原因にならないようになる。
【００３４】
液体供給装置１３のタンク１５に溜められた水１４に、抗菌剤を添加しても良い。前記抗菌剤としては、例えば、ゼオライト、粘土鉱物、シリカゲル、シリカ／アルミナ、メタ珪酸アルミン酸、マグネシウム、ガラス、燐酸ジルコニウム、燐酸カルシウム（アパタイト）、酸化チタン、トリポリ燐酸、ジルコニウムなどの無機系抗菌剤や、アルコール系、フェノール系、アルデヒド系、カルボン酸系、エステル系、エーテル系、ニトリル系、過酸化物・エポキシ系、ハロゲン系、ピリジン・キノリン系、トリアジン系、イソチアゾロン系、イミダゾール・チアゾール系、アニリド系、ビグアナイド系、ジスルフィド系、チオカーバメート系、界面活性剤系、有機金属系の有機系抗菌剤や、動物・魚由来系、微生物・放線菌由来系、酵素由来系、植物由来系、天然イオン由来系、天然鉱石由来系の天然由来系抗菌剤などが挙げられる。このような抗菌剤を水１４に添加することにより、前記抗菌剤が作用し、集塵フィルタ６における菌、微生物などの繁殖を抑制することができる。
【実施例２】
【００３５】
以下に、本発明の第２の実施例に係る掃除機について、図を用いて具体的に説明する。第２の実施例に係る掃除機は、上述した第１の実施例に係る掃除機の液体供給装置を改良したものであり、それ以外については第１の実施例に係る掃除機と同じ構造を有する。第１の実施例に係る掃除機と同じ部材には、同一符号を付記し、その説明を省略する。
【００３６】
図５は、本発明の第２の実施例に係る掃除機が有する液体供給装置の概略図である。
【００３７】
本発明の第２の実施例に係る掃除機が有する液体供給装置３１は、図５に示すように、連結管１６に介在するバルブ３２と、連通管１６の先端に連結し、集塵フィルタ６側に複数の穴３３ａが形成された液体噴霧部３３とを有する。このバルブ３２にはスイッチ３４が取り付けられており、このスイッチ３４を押下することにより、タンク１５から連通管１６、バルブ３２、液体噴霧部３３を通って穴３３ａから集塵フィルタ６に水１４が霧状に噴射される。
【００３８】
したがって、本発明の第２の実施例に係る掃除機によれば、上述した第１の実施例と同様な作用効果を奏する他、手動にて集塵フィルタ６に水１４を霧状に噴射することができ、集塵フィルタ６の酵素１１によるたんぱく質の一次結合を切断する反応を促進することができる。
【実施例３】
【００３９】
以下に、本発明の第３の実施例に係る掃除機について、図を用いて具体的に説明する。第３の実施例に係る掃除機は、上述した第２の実施例に係る掃除機の液体供給装置を改良したものであり、それ以外については第２の実施例に係る掃除機と同じ構造を有する。第２の実施例に係る掃除機と同じ部材には、同一符号を付記し、その説明を省略する。
【００４０】
図６は、本発明の第３の実施例に係る掃除機が有する液体供給装置の概略図である。
【００４１】
本発明の第３の実施例に係る掃除機３５が有する液体供給装置３６は、図６に示すように、連結管１６に介在するバルブ３２に取り付けられ、このバルブ３２の開閉を駆動する駆動手段である駆動モータ３７と、駆動モータ３７の駆動を制御する制御装置３８とを有する。制御装置３８は、掃除機３５の電源のＯＮ／ＯＦＦに連動して、駆動モータ３７を駆動しバルブ３２の開閉を行っている。掃除機３５の電源がＯＮになると、制御装置３８により駆動モータ３７が駆動して、バルブ３２が開き、タンク１５から連通管１６、バルブ３２、液体噴霧部３３を通って穴３３ａから集塵フィルタ６に水１４が霧状に噴射される。掃除機３５の電源がＯＦＦになると、制御装置３８により駆動モータ３７が駆動して、バルブ３２が閉じる。
【００４２】
したがって、本発明の第３の実施例に係る掃除機によれば、上述した第２の実施例と同様な作用効果を奏する他、掃除機３５の電源のＯＮ／ＯＦＦに連動して自動で集塵フィルタ６に水１４を噴霧することができ、集塵フィルタ６の酵素によるたんぱく質の一次結合を切断する反応を効率良く促進することができる。
【００４３】
制御装置３８が掃除機３５の電源のＯＮ／ＯＦＦに連動する他に、掃除機の連続運転した時間に応じてバルブを制御するようにしても良い。このようにバルブを制御することにより、集塵フィルタに適度に水を噴霧することができ、集塵フィルタ６の酵素によるたんぱく質の一次結合を切断する反応の促進をより一層効率良く行うことができる。
【実施例４】
【００４４】
以下に、本発明の第４の実施例に係る掃除機について、図を用いて具体的に説明する。第４の実施例に係る掃除機は、上述した第１の実施例に係る掃除機の液体供給装置の配置位置を変えたものであり、それ以外については第１の実施例に係る掃除機と同じ構造を有する。第１の実施例に係る掃除機と同じ部材には、同一符号を付記し、その説明を省略する。
【００４５】
図７は、本発明の第４の実施例に係る掃除機の概略図である。図８は、本発明の第４の実施例に係る掃除機が有する液体供給装置の断面図である。
【００４６】
図７に示すように、本発明の第４の実施例に係る掃除機４０の延長管２と、吸気ホース３との間には、液体、例えば水を供給する液体供給装置４１が取り付けられた中間ホース４２が介在する。中間ホース４２の一端は延長管２に嵌合可能となっており、その他端は吸気ホース３に取り付け可能となっている。この液体供給装置４１には、図８に示すように、毛細管現象を利用した水分吸出し部材４３、例えば布などが配置されている。水分吸出し部材４３の先端は中間ホース４２内まで延び、その先端に蒸発部４４が形成されている。水分吸出し部材４３を上述したような構造にしたことにより、吸込ノズル１から塵埃を吸い込むときに、吸込ノズル１から、延長パイプ２、中間ホース４２、および吸気ホース３へ空気が流れることとなり、この空気の流れにより蒸発部４４から水１４が蒸発する。
【００４７】
したがって、本発明の第４の実施例に係る掃除機４０によれば、上述した第１の実施例に係る掃除機と同様な作用効果を奏する他、蒸発部４４にて水１４が蒸発し、水蒸気が集塵フィルタ６まで流れることとなり、集塵フィルタ６の酵素によるたんぱく質の一次結合を切断する反応を促進することができるので、アレルゲンをより一層不活性化することができる。また、液体供給装置４１自体が簡易な構造であるので、製造コストの増加を抑制することができる。さらに、液体供給装置４１を市販の掃除機に取り付けることができる。
【実施例５】
【００４８】
以下に、本発明の第５の実施例に係る掃除機について、図面を用いて説明する。第５の実施例に係る掃除機は、上述した第１の実施例に係る掃除機におけるアレルゲンを不活性化する酵素を付着させる対象を変えたものであり、それ以外については第１の実施例に係る掃除機と同じ構造を有する。
【００４９】
図９は、本発明の第５の実施例に係る掃除機の概略図であり、図１０は図９における囲み線Ｘの模式図である。
【００５０】
本発明の第５の実施例に係る掃除機４５では、図９および図１０に示すように、掃除機本体４６に形成された排気口４７に配置された排気フィルタ４８が、尿素１２およびアレルゲンを不活性化する酵素１１を備えている。アレルゲンは、排気フィルタ４８の酵素１１および尿素１２に接触し、アレルゲンを構成するたんぱく質を分解して、不活性化される。したがって、本発明の第５の実施例に係る掃除機４５によれば、上述した第１の実施例に係る掃除機と同様な作用効果を奏する他、集塵フィルタ６にてアレルゲンが不活性化されずに通過しても、アレルゲンが排気フィルタ４７の酵素１１および尿素１２に接触することにより不活性化されるので、掃除機本体４６から排出されるアレルゲンの数を減少させることができる。
【００５１】
なお、排気フィルタ４７に水などの液体を供給する液体供給装置を設けても良い。液体供給装置を設け、液体供給装置から水を排気フィルタ４７に供給することにより、排気フィルタの酵素によるたんぱく質の一次結合を切断する反応が促進されるので、より一層多くのアレルゲンを不活性化することができる。また、液体供給装置として、透湿膜を有するチューブ状のものを用いても良いし、排気フィルタへ水を供給する装置として手動バルブにて開閉するものを用いても良いし、排気フィルタへ水を供給する装置として掃除機の電源のＯＮ／ＯＦＦに連動して開閉する電気駆動のバルブを用いても良い。
【実施例６】
【００５２】
以下に、本発明の第６の実施例に係る掃除機について、図を用いて具体的に説明する。第６の実施例に係る掃除機は、上述した第１の実施例に係る掃除機における抗菌液を供給する部位を変えたものであり、それ以外については第１の実施例に係る掃除機と同じ構造を有する。第１の実施例に係る掃除機と同じ部材には、同一符号を付記し、その説明を省略する。
【００５３】
図１１は、本発明の第６の実施例に係る掃除機の概略図であり、図１２は図１１における囲み線ＸＩＩの拡大図である。
【００５４】
本発明の第６の実施例に係る掃除機５０では、図１１に示すように、吸込ノズル１の上部に抗菌液を散布する抗菌液散布手段である抗菌液散布装置５１が取り付けられる。
【００５５】
抗菌液散布装置５１は、図１２に示すように、抗菌液５２を溜める抗菌液貯溜タンク５３と、抗菌液貯溜タンク５３に連結され、抗菌液貯溜タンク５３と吸込ノズル１とを連通する連結管５４とを有する。連結管５４には、バルブ５５が介在する。バルブ５５にはスイッチ５６が取り付けられる。スイッチ５６を押下することによりバルブ５５が開き、抗菌液５２が抗菌液貯留タンク５３，バルブ５５，連通管５４を通って吸込ノズル１内に散布される。
【００５６】
よって、本発明の第６の実施例に係る掃除機５０によれば、上述した第１の実施例に係る掃除機と同様な作用効果を奏する他、スイッチ５６を押下して、抗菌液散布装置５１から抗菌液５３を散布することにより、塵埃と共に散布された抗菌液５３が吸込ノズル１、延長パイプ２、吸気ホース３、および吸気パイプ４を通って掃除機５０内に吸い込まれるので、延長パイプ２の内部、吸気ホース３の内部、および吸気パイプ４の内部における菌や微生物などの繁殖を抑制することができる。
【実施例７】
【００５７】
以下に、本発明の第７の実施例に係る掃除機について、図を用いて具体的に説明する。第７の実施例に係る掃除機は、上述した第６の実施例に係る掃除機における抗菌液散布装置の構成を変えたものであり、それ以外については第６の実施例に係る掃除機と同じ構造を有する。第６の実施例に係る掃除機と同じ部材には、同一符号を付記し、その説明を省略する。
【００５８】
図１３は、本発明の第７の実施例に係る掃除機が有する抗菌液散布装置の概略図である。
【００５９】
本発明の第７の実施例に係る掃除機６０が有する抗菌液散布装置６１では、図１３に示すように、抗菌液５２を溜める抗菌液貯溜タンク５３と吸込ノズル１とを連結する連結管５４に介在するバルブ５５に取り付けられ、バルブ５５の開閉を駆動する駆動モータ５７を有する。駆動モータ５７には、駆動モータ５７の駆動を制御する制御装置（図示せず）が取り付けられる。前記制御装置では、バルブ５５の開閉の制御が、掃除機６０の電源のＯＮ／ＯＦＦに連動して行われる。
【００６０】
よって、本発明の第７の実施例に係る掃除機６０によれば、上述した第６の実施例に記載の掃除機と同様な作用効果を奏する他、掃除機６０の電源のＯＮ／ＯＦＦに連動して抗菌液５２を自動的に散布することができるので、作業効率が向上する。
【実施例８】
【００６１】
以下に、本発明の第８の実施例に係る掃除機に用いられる集塵フィルタについて、図を用いて具体的に説明する。第８の実施例に係る集塵フィルタは、上述した第１の実施例に係る掃除機に用いられる集塵フィルタを改良したものである。
【００６２】
図１４は、本発明の第１の実施例に係る掃除機に用いられる集塵フィルタの他実施形態の概略図である。
【００６３】
集塵フィルタ６５は、図１４に示すように、一つの開口部６５ａを有する袋状になっており、その内面６５ｂにおける開口部６５ａ近傍には、粘着部材である粘着テープ６６が複数箇所に取り付けられる。集塵フィルタ６５の内面６５ｂには、尿素１２およびアレルゲンを不活性化する酵素１１が添着している。集塵フィルタ６５を、一般的に市販されるフィルタ６７の後流側に取り付ける。すなわち、集塵フィルタ６５を、フィルタ６７のフィルタ本体６８を覆うように配置し、集塵フィルタ６５の粘着テープ６６に貼り付けられているセパレータ６６ａを剥がした状態でフィルタ本体６８に接触させて、集塵フィルタ６５をフィルタ本体６８に取り付ける。なお、フィルタ本体６８の開口部６８ａの周囲には、取り付け用フランジ部６９が設けられている。
【００６４】
よって、上述した集塵フィルタ６５によれば、上述した第１の実施例に係る掃除機に用いられた集塵フィルタと同様な作用効果を奏する他、市販されるフィルタ６７に取り付けることができるので、その取り扱い性が向上する。
【００６５】
上記では、粘着テープ６６を用いて市販のフィルタ６７に後付けする集塵フィルタ６５を用いて説明したが、粘着テープ以外のものであっても、市販のフィルタ６７に集塵フィルタを取り付けることができるようなものであれば良い。
【００６６】
また、上記では、市販のフィルタ６７の外側に集塵フィルタ６５を取り付けたものを用いて説明したが、市販のフィルタが１層からなるものであれば、このフィルタの内側に集塵フィルタ６５を取り付けるようにしても良い。
【産業上の利用可能性】
【００６７】
本発明は、アレルゲンを不活性化する集塵フィルタおよびそれを用いた掃除機に利用することが可能である。
【図面の簡単な説明】
【００６８】
【図１】本発明の第１の実施例に係る掃除機の概略図である。
【図２】本発明の第１の実施例に係る掃除機に用いられる集塵フィルタの一実施形態の概略図である。
【図３】本発明の第１の実施例に係る掃除機に用いられる集塵フィルタの一実施形態の模式図である。
【図４】本発明の第１の実施例に係る掃除機に取り付けられる液体供給装置の蓋部材近傍の断面図である。
【図５】本発明の第２の実施例に係る掃除機が有する液体供給装置の概略図である。
【図６】本発明の第３の実施例に係る掃除機が有する液体供給装置の概略図である。
【図７】本発明の第４の実施例に係る掃除機の説明図である。
【図８】本発明の第４の実施例に係る掃除機が有する液体供給装置の断面図である。
【図９】本発明の第５の実施例に係る掃除機の概略図である。
【図１０】図９における囲み線Ｘの模式図である。
【図１１】本発明の第６の実施例に係る掃除機の概略図である。
【図１２】図１１における囲み線ＸＩＩの拡大図である。
【図１３】本発明の第７の実施例に係る掃除機が有する抗菌液散布装置の概略図である。
【図１４】本発明の第１の実施例に係る掃除機に用いられる集塵フィルタの他実施形態の概略図である。
【符号の説明】
【００６９】
１      吸込ノズル
２      延長パイプ
３      吸気ホース
４      吸気パイプ
５      掃除機本体
６      集塵フィルタ
７      １層目のフィルタ
８      ２層目のフィルタ
９      ３層目のフィルタ
１０    繊維
１１    酵素
１２    尿素
１３    液体供給装置
１４    水
１５    タンク
１６    連通管
１７    チューブ
１８    液体注入構造
１９    注入口部
２０    蓋部材
２１    排気口
２５    掃除機
【図１】
2006218064.tif 000003
【図２】
2006218064.tif 000004
【図３】
2006218064.tif 000005
【図４】
2006218064.tif 000006
【図５】
2006218064.tif 000007
【図６】
2006218064.tif 000008
【図７】
2006218064.tif 000009
【図８】
2006218064.tif 000010
【図９】
2006218064.tif 000011
【図１０】
2006218064.tif 000012
【図１１】
2006218064.tif 000013
【図１２】
2006218064.tif 000014
【図１３】
2006218064.tif 000015
【図１４】
2006218064.tif 000016